(57)【要約】【課題】  従来の扇子と遜色のない携帯性を有するとともに、より低温の冷気を供給可能な扇子の提供。【解決手段】  一端部が回転可能に接続される複数の細棒状の骨部と、前記複数の骨部の間に配されるとともに葛折状に折り畳み可能なシート状の扇部と、前記骨部に、霧状氷成分が通過可能な流路が形成されることを特徴とする冷風扇子である。【選択図】  図１
2006175176.tif 000002
【特許請求の範囲】
【請求項１】
一端部が回転可能に接続される複数の細棒状の骨部と、
前記複数の骨部の間に配されるとともに葛折状に折り畳み可能なシート状の扇部と、
前記骨部に、霧状氷成分が通過可能な流路が形成されることを特徴とする冷風扇子。
【請求項２】
前記霧状氷成分は、前記霧状氷成分を噴出する噴出口を備えるエアゾール式冷却装置から得られることを特徴とする請求項１記載の冷風扇子。
【請求項３】
前記冷却装置が着脱自在であることを特徴とする請求項２記載の冷風扇子。
【請求項４】
前記冷却装置が、霧状氷を生じさせる物質を収容する収容部と、
該収容部上部に配設されるとともに前記物質を大気中に噴出させるための噴出機構を備え、
前記骨部一端部同士を回転可能に接続するピンが中空状に形成され、
前記流路が前記ピン内の中空部と連通し、
前記冷却装置の噴出口が前記中空部と接続し、
前記霧状の氷が前記ピンを通じて前記骨部に供給されることを特徴とする請求項２記載の冷風扇子。
【請求項５】
前記骨部がアルミニウムから形成されることを特徴とする請求項１乃至４いずれかに記載の冷風扇子。
【請求項６】
前記骨部軸方向に沿ってカーボングラファイト層が配されることを特徴とする請求項１乃至５いずれかに記載の冷風扇子。
【請求項７】
前記骨部先端に、前記流路と連通する開口部が設けられ、
該開口部は、前記流路の径よりも小さく形成されることを特徴とする請求項１乃至６いずれかに記載の冷風扇子。
【請求項８】
前記骨部が、前記流路と交差する開口部を備えることを特徴とする請求項１乃至７いずれかに記載の冷風扇子。
【請求項９】
前記開口部が前記骨部軸方向に沿って複数形成され、
前記流路からの距離に応じて、前記開口部の大きさが大きく形成されることを特徴とする請求項８記載の冷風扇子。
【請求項１０】
前記開口部が前記冷風扇子の両面に現れるように形成され、
一方の面に現れる開口部が他の面に現れる開口部と上下に位置をずらして配設されることを特徴とする請求項８又は９記載の冷風扇子。
【請求項１１】
前記扇部が通気性を有することを特徴とする請求項８乃至１０いずれかに記載の冷風扇子。
【請求項１２】
前記扇部が、前記霧状氷成分が流通可能な流路を備えることを特徴とする請求項８乃至１０いずれかに記載の冷風扇子。
【請求項１３】
前記流路を、吸水性を有する糸状材料が横切ることを特徴とする請求項１乃至１２いずれかに記載の冷風扇子。
【請求項１４】
前記扇部が、前記流路を横切ることを特徴とする請求項１乃至１２いずれかに記載の冷風扇子。
【請求項１５】
前記冷却装置に収容される物質が、水成分を５０重量％以上含むエアゾール用含水原液と沸点が５℃以下のエアゾール用噴射剤からなり、
前記含水原液がアルコールを含有することを特徴とする請求項２乃至１４いずれかに記載の冷風扇子。
【発明の詳細な説明】
【技術分野】
【０００１】
本発明は、大気温度よりも低温の冷風を供給可能な冷風扇子に関する。
【背景技術】
【０００２】
涼気を得るための装置が数多く市販されている。例えば、クーラ、扇風機、団扇或いは扇子が例示できる。クーラや扇風機は、大きさや重量の面から多くの場合、携帯するのに不都合である。近年になり、小型且つ軽量なハンディタイプの扇風機が市販されるようになってきているが、使用時の外観の悪さから特に公共の場での使用に適するものではない。
【０００３】
従来から携帯用の涼気器具として、団扇や扇子が用いられてきた。団扇や扇子は軽量であり、携帯性に優れ、現在においても多くの場面で用いられている。従来の団扇や扇子は、その扇面を人体に対して上下、左右或いは前後に移動させ、該移動によって発生する空気流れを人体に当て、人体周囲を流れる空気が人体表面から熱を奪うことによって、涼気を提供するものである。
しかしながら、従来の団扇や扇子は流動する空気の温度を変えるものではない。したがって、特に大気温度が高い場合には、人体表面から十分な熱を奪うことができず、充分な涼気をもたらすことができなかった。
【０００４】
上記課題を解決するために特許文献１に開示されるような水冷式扇子が提案されている。図５に特許文献１に開示される水冷式扇子を示す。
該水冷式扇子（Ｆ）は、水が蓄えられる貯水ケース（Ｃ）を備える。貯水ケース（Ｃ）内に複数の骨部（Ｂ）の一端部が挿入されている。該骨部（Ｂ）は透湿性材料からなり、毛細管現象により、貯水ケース（Ｃ）内の水を吸い上げ、扇面を湿らす。このようにして水冷式扇子（Ｆ）は、水冷式扇子（Ｆ）の扇面を湿らすことにより、供給される空気の温度を下げ、涼気をもたらす。
【０００５】
【特許文献１】特開２００３−２４１８８号公報
【発明の開示】
【発明が解決しようとする課題】
【０００６】
上記構造の水冷式扇子（Ｆ）は、従来の団扇や扇子よりも低い温度の空気流れを生じさせることが可能であるが、水を貯水する貯水ケース（Ｃ）を備えるので、その重量が増し、従来の団扇や扇子が備える携帯性という利点を著しく損なうものとなる。また、扇子の扇面は水冷式に冷却されるけれども、その冷却効果も十分ではなかった。したがって、従来において、携帯性を損なうことなく、十分に冷却された空気流れを供給可能な涼気器具は存在しなかった。
更には、上記構造のような水冷式扇子（Ｆ）は冷却材として、液体を用いるものであるので、冷却に用いられた水が使用者に飛散したり、使用者の身体を濡らしたりするなど、使用者に対して不快感をもたらすものであった。
本発明は、上記従来の実情に鑑みてなされたものであって、従来の扇子と遜色のない携帯性を有するとともに、より低温の冷気を供給可能な扇子を提供することを目的とする。
【課題を解決するための手段】
【０００７】
請求項１記載の発明は、一端部が回転可能に接続される複数の細棒状の骨部と、前記複数の骨部の間に配されるとともに葛折状に折り畳み可能なシート状の扇部と、前記骨部に、霧状氷成分が通過可能な流路が形成されることを特徴とする冷風扇子である。
請求項２記載の発明は、前記霧状氷成分は、前記霧状氷成分を噴出する噴出口を備えるエアゾール式冷却装置から得られることを特徴とする請求項１記載の冷風扇子である。
請求項３記載の発明は、前記冷却装置が着脱自在であることを特徴とする請求項２記載の冷風扇子である。
請求項４記載の発明は、前記冷却装置が、霧状氷を生じさせる物質を収容する収容部と、該収容部上部に配設されるとともに前記物質を大気中に噴出させるための噴出機構を備え、前記骨部一端部同士を回転可能に接続するピンが中空状に形成され、前記流路が前記ピン内の中空部と連通し、前記冷却装置の噴出口が前記中空部と接続し、前記霧状の氷が前記ピンを通じて前記骨部に供給されることを特徴とする請求項２記載の冷風扇子。
【０００８】
請求項５記載の発明は、前記骨部がアルミニウムから形成されることを特徴とする請求項１乃至４いずれかに記載の冷風扇子である。
請求項６記載の発明は、前記骨部軸方向に沿ってカーボングラファイト層が配されることを特徴とする請求項１乃至５いずれかに記載の冷風扇子である。
請求項７記載の発明は、前記骨部先端に、前記流路と連通する開口部が設けられ、
該開口部は、前記流路の径よりも小さく形成されることを特徴とする請求項１乃至６いずれかに記載の冷風扇子である。
請求項８記載の発明は、前記骨部が、前記流路と交差する開口部を備えることを特徴とする請求項１乃至７いずれかに記載の冷風扇子である。
請求項９記載の発明は、前記開口部が前記骨部軸方向に沿って複数形成され、前記流路からの距離に応じて、前記開口部の大きさが大きく形成されることを特徴とする請求項８記載の冷風扇子である。
請求項１０記載の発明は、前記開口部が前記冷風扇子の両面に現れるように形成され、
一方の面に現れる開口部が他の面に現れる開口部と上下に位置をずらして配設されることを特徴とする請求項８又は９記載の冷風扇子である。
請求項１１記載の発明は、前記扇部が通気性を有することを特徴とする請求項８乃至１０いずれかに記載の冷風扇子である。
請求項１２記載の発明は、前記扇部が、前記霧状氷成分が流通可能な流路を備えることを特徴とする請求項８乃至１０いずれかに記載の冷風扇子である。
【０００９】
請求項１３記載の発明は、前記流路を、吸水性を有する糸状材料が横切ることを特徴とする請求項１乃至１２いずれかに記載の冷風扇子である。
請求項１４記載の発明は、前記扇部が、前記流路を横切ることを特徴とする請求項１乃至１２いずれかに記載の冷風扇子である。
【００１０】
請求項１５記載の発明は、前記冷却装置に収容される物質が、水成分を５０重量％以上含むエアゾール用含水原液と沸点が５℃以下のエアゾール用噴射剤からなり、前記含水原液がアルコールを含有することを特徴とする請求項２乃至１４いずれかに記載の冷風扇子である。
【発明の効果】
【００１１】
請求項１記載の発明によれば、霧状氷を骨部に形成される流路に沿って噴出するので、骨部を非常に低温にすることができ、より低温の空気流れを供給可能となる。また、使用される冷却材が霧状の氷であるので、該霧状の氷が流路内で液化しても、その量は微量であり、液体化した冷却材が使用者に不快感を与えるおそれがほとんどない。
請求項２記載の発明によれば、比較的簡便な装置で冷却効果を得ることが可能となる。
請求項３記載の発明によれば、冷風扇子を冷却するときのみ冷却装置を取り付ければよく、使用時及び携帯時に冷却装置が邪魔にならない。
請求項４記載の発明によれば、冷却装置の収容部を冷風扇子の柄として用いることができる。
【００１２】
請求項５記載の発明によれば、熱伝導率が高く且つ軽量なアルミニウムが骨部に用いられるので、冷却効果に優れるとともに軽量な冷風扇子となる。
請求項６記載の発明によれば、面方向に熱伝導率が高いカーボングラファイト層が配されるので、瞬時に骨部を冷却することができ、冷却性に優れた冷風扇子となる。
請求項７記載の発明によれば、霧状の氷が流路内で対流することがなく、瞬時に骨部先端まで冷却することが可能となる。
請求項８記載の発明によれば、開口部から霧状氷成分が噴出するので、葛折状に折り畳まれた扇部を直接的に冷却することが可能である。
請求項９記載の発明によれば、開口部から噴出する霧状の氷の噴出圧力を骨部軸方向に沿って均一にすることができ、冷風扇子を一様に冷却することができる。
請求項１０記載の発明によれば、両面に形成された開口部が互いにずれて配列されるので、開口部からの霧状氷の噴出圧力を高くすることが可能となる。
請求項１１記載の発明によれば、開口部から噴出された霧状の氷成分が扇部を通過することができるので、扇部全体を冷却でき、冷却効果が高められる。
請求項１２記載の発明によれば、冷風扇子を閉じることなく霧状の氷を噴射して高い冷却効果を得ることができる。
【００１３】
請求項１３記載の発明によれば、糸状材料が流路壁面を伝う水滴を捕捉し、液垂れを防止できる。
請求項１４記載の発明によれば、扇部が流路壁面を伝う水滴を捕捉し、液垂れを防止できる。
【００１４】
請求項１５記載の発明によれば、アルコール成分により、瞬時に噴射された液状物質が乾燥されるので、液垂れを防止できる。
【発明を実施するための最良の形態】
【００１５】
以下、本発明に係る冷風扇子について、図を参照しつつ説明する。
図１は本発明に係る冷風扇子の第１の実施形態を示す図である。図１（ａ）は冷風扇子を開いた状態の正面図であり、図１（ｂ）は冷風扇子を閉じた状態の側面図であり、図１（ｃ）は冷風扇子を閉じた状態の正面図である。
冷風扇子（１）は、複数の細棒状の骨部（２）を備える。骨部（２）同士は、その一端部においてピン（２１）を介して互いに回転可能に接続されている。各骨部（２）の間には、シート状の扇部（３）が配される。扇部（３）は葛折状に折り畳み可能とされ、冷風扇子（１）が閉じられた状態において、各骨部（２）は一列に並び、一線状となる。
【００１６】
図２は冷風扇子（１）の骨部（２）の断面構造を示す図である。図２（ａ）乃至図２（ｄ）はそれぞれ骨部（２）の異なる断面構造を示している。図３は、本発明の冷風扇子（１）の冷却装置を示す図である。尚、図２に示される断面は冷風扇子（１）の扇面に対して直交する断面である。
図２（ａ）に示す如く、冷風扇子（１）の複数の骨部（２）のうち少なくとも１つの骨部（２）がその内部に流路（２２）が形成される。流路（２２）は骨部（２）軸に沿って伸び、骨部（２）先端部付近で閉じられている。尚、骨部（２）先端部分は必ずしも閉じられている必要はなく、少なくとも流路（２２）より径小に形成された開口部を備えていてもよい。この場合には、流路（２２）を通過する霧状氷が流路内で対流することがなく、円滑に骨部（２）先端まで冷却させることが可能となる。
図３に示す如く、冷却装置（４）は、霧状氷を生じさせる物質を収容する円筒状の収容部（４１）と、該収容部（４１）上部に配設されるとともに収容部に収容された物質を大気中に噴出させるための噴出機構（４２）と噴出機構（４２）から延びるとともに、噴出機構（４２）によって噴出された物質を一定方向に案内するノズル部（４３）からなる。冷却装置（４）の構成は、殺虫剤やヘアスプレ等に用いられる噴出機構として知られる構成を備えるものであり、収容部（４１）上に配されるボタン部（４２１）を押圧することで作動する。
冷却装置（４）のノズル部（４３）からは霧状の氷が噴出される。
【００１７】
冷風扇子（１）を閉じた状態で、冷却装置（４）のノズル部（４３）は骨部（２）の流路（２２）内に挿入される。そして、噴出機構（４２）を作動させて流路（２２）内に霧状の氷を噴出させる。噴出された霧状の氷は骨部（２）を冷却させる。冷却された骨部（２）は熱伝達作用により、該骨部（２）に連なる扇部（３）及び隣接する他の骨部（２）を冷却させる。このようにして、扇部（３）及び骨部（２）で構成される冷風扇子（１）の扇面全体が冷却されるので、該扇面によって送り出される空気流れは非常に低温となり、高い冷却効果をもたらすことができる。
上述の如く、冷却装置（４）からの霧状の氷による冷却効果を高めるために熱伝導率の高いアルミニウムの軽金属が骨部（２）に用いることが好ましい。
【００１８】
尚、霧状の氷を噴出させる際には、必ずしも冷風扇子（１）が閉じられている必要はない。冷風扇子（１）が開かれた状態で、霧状の氷を噴射させても十分な冷却効果を高めることが可能である。
尚、冷風扇子（１）を開いた状態で、霧状の氷を噴出させても高い冷却効果が得られるように、扇部（３）を横切るように霧状の氷が流通可能な流路を設けてもよい。この流路を、骨部（２）を貫く流路（２２）と連通させることにより、冷風扇子（１）を開いた状態で、扇部（３）の面全体を効率よく冷却することが可能となる。扇部（３）を横切る流路を可撓性材料で形成すれば、冷風扇子（１）の折り畳みに関しても問題を生ずることがない。
【００１９】
図２（ｂ）は骨部（２）の他の実施形態を示す。図２（ｂ）の骨部（２）は流路（２２）の一方の側にカーボングラファイト層（２３）を備えている。カーボングラファイト層（２３）は骨部（２）軸方向に延びている。カーボングラファイト層（２３）は面方向の熱伝導性が非常に高いので、霧状の氷が導入された骨部（２）を瞬時に冷却させることが可能となる。
尚、カーボングラファイト層（２３）は面に対して直角方向の熱伝導性が低いので、図２（ｂ）の骨部（２）は、図１（ｂ）に示される冷風扇子（１）において左右端に配される骨部（２）に適用されることが好ましい。この場合において、カーボングラファイト層（２３）は図１（ｂ）に示される冷風扇子（１）左右端面付近に配される。
更に図２（ａ）に示す骨部（２）を冷風扇子（１）中央に配することで一層の冷却作用を得られるものとなる。
【００２０】
図２（ｃ）は骨部（２）の他の実施形態を示す。図２（ｃ）に示す如く、流路（２２）と交差するとともに冷風扇子（１）の扇面に現れる複数の開口部（２２１）を設けてもよい。開口部（２２１）は骨部（２）軸方向に沿って整列している。
このように開口部（２２１）を配列させることにより、流路（２２）に供給された霧状の氷成分が開口部（２２１）から抜け、冷風扇子（１）が閉じた状態において葛折にされた扇部（３）に直接霧状の氷成分が吹付けられるものとなる。更には、図２（ａ）及び図２（ｂ）で示した流路（２２）は閉流路であり、流路（２２）内に導入された氷成分の一部は流路（２２）入口から抜けてしまうものとなるが、図２（ｃ）に示す骨部（２）の構造においては、流路（２２）は開流路であり、導入された氷成分全てが骨部（２）及び扇部（３）の冷却に用いられ、無駄を生じない。
図２（ｃ）に示される骨部（２）を採用する場合において、冷風扇子（１）の扇部（３）には若干の通気性を有する材料が用いられることが好ましい。扇部（３）に通気性を持たせることによって、葛折状に折り畳まれた扇部（３）を霧状の氷成分が通り抜けることができ、扇部（３）全体及び隣接する他の骨部（２）をも冷却することが可能となり、高い冷却効果を生じせしめることが可能となる。
開口部（２２１）の配列に関しては、流路（２２）入口近くの開口部（２２１）の大きさを小さく、入口から離れた位置にある開口部（２２１）の大きさを大きく形成することが好ましい。このように入口からの距離に応じて開口部（２２１）の大きさを大きくすることで、骨部（２２）全体を均一に冷却することが可能となる。
また図２（ｃ）に示すように、扇面の一面に現れる開口部（２２１）の位置を扇面の他の一面に現れる開口部（２２１）の位置と上下にずらして配列することにより、各開口部（２２１）から噴出される霧状の氷成分の噴出圧力を高めることが可能となる。
【００２１】
図２（ｃ）に示す骨部（２）構造は、冷風扇子（１）の扇面の両面に開口部（２２１）が現れる形態であり、図１（ｂ）に示す冷風扇子（１）において左右方向に霧状の氷成分が吹き出す。したがって、図２（ｃ）に示す骨部（２）構造は冷風扇子（１）中央付近に配設される骨部（２）に採用されることが好ましい。
図１（ｂ）に示す冷風扇子（１）の左右端に配される骨部（２）には、図２（ｄ）に示すように一方の面にのみ開口部（２２１）が現れるように開口部（２２１）を形成し、開口部（２２１）からの霧状の氷の噴出方向が冷風扇子（１）中心軸方向に向くようにすればよい。
尚、氷成分を導入する流路（２２）の入口は、冷風扇子（１）の把持部側の端部に形成されてもよく、或いは冷風扇子（１）先端部側に形成されてもよい。
【００２２】
霧状の氷が溶解し、或いは霧状の氷によって流路（２２）壁面に空気中の水成分が付着し、流路内に水滴が生じ、該水滴が垂れることを防止するために、図２（ｃ）に示すように、流路（２２）を横切るように糸状の吸水糸（５）を配設してもよい。図２（ｃ）に示す吸水糸（５）は開口部（２２１）に接着剤で固定されている。流路（２２）壁面を伝う水滴は吸水糸によって捕捉される。
或いは、図２（ｄ）に示すように、扇部（３）を紙や布等の吸水性材料で形成し、骨部（２）で扇部（３）両面を挟み込むようにしてもよい。このようにすると、扇部（３）は流路（２２）を横切り、流路（２２）を横切る扇部（３）の部分が流路（２２）壁面を伝う水滴を捕捉するものとなる。
【００２３】
冷却装置（４）の収容部（４１）に収容される物質は、霧状の氷を噴出可能なものであれば特に限定されるものではないが、具体例として以下のような物質を例示できる。
１つの例として、収容される物質は、水成分を５０重量％以上含むエアゾール用含水原液と沸点が５℃以下のエアゾール用噴射剤から構成できる。
含水原液の具体例としては、アルコール０〜６０重量％水溶液、１００重量部に対して界面活性剤０．０１〜１０重量部及び／又は水溶性シリコンオイル０．０１〜１０重量部を添加したものが挙げられる。アルコールを含む含水原液を用いることで、噴射された液体成分が即座に乾燥し、該液体成分が垂れることを防止可能である。
界面活性剤としては、ポリオキシエチレンポリオキシポロピレンアルキルエーテル、ポリオキシエチレンアルキルフェニルエーテル、ポリオキシエチレンヒマシ油誘導体が挙げられる。
水溶性シリコンとしては、疎水基がジメチルシリコンオイルで親水基がポリエーテルで構成されるジメチルポリシロキサンポリエチレングリコール共重合体が挙げられる。
界面活性剤及び水溶性シリコンは含水原液と噴射剤の乳化を促進する。
沸点が５℃以下の噴射剤としては、ジクロロジフルオロメタン、ジフルオロモノクロロエタン、モノクロロジフルオロメタン、ジクロロテトラフルオロエタン、テトラフルオロエタン、ジメチルエーテルやプロパン、イソブタン或いはノルマルブタンを主成分とする液化石油ガスが例示できる。特に好ましい噴射剤としては、ジメチルエーテルを２０〜５５重量％含む石油液化ガスや純度９５％以上のイソブタンが挙げられる。
更には、エアゾール用噴射剤が噴射助剤を含むものであってもよい。ここでいう噴射助剤とは、沸点が５℃を越える比較的低沸点の溶剤を意味する。噴射助剤としては、トリクロロモノフルオロメタン、トリクロロトリフルオロエタン、ジクロロトリフルオロエタン、イソペンタン、ノルマルペンタン、ヘキサン或いはこれらの混合物が挙げられる。
好適な噴射剤と噴射助剤の混合比は、５〜３５重量％：６５〜９５重量％である。
以上の噴射剤或いは噴射剤と噴射助剤の混合物をエアゾール用含水原液に乳化或いは分散させる。そして、この物質を噴射機構（４２）により噴射させることで、噴射剤が気化する際に生ずる気化熱によって、含水原液が冷却され、霧状の氷が生ずる。
【００２４】
第１の実施例に係る冷風扇子（１）の使用形態について説明する。
まず冷風扇子（１）を閉じた状態とする（図１（ｂ）及び図１（ｃ）参照）。そして、流路（２２）が形成された骨部（２）に冷却装置（４）のノズル部（４３）を挿入する。そして冷却装置（４）のボタン部（４２１）を押圧し、噴出機構（４２）を作動させ、流路（２２）内に霧状の氷を噴出させ、骨部（２）及び扇部（３）を冷却させる。その後、冷風扇子（１）を開き（図１（ａ）参照）、冷風扇子（１）を上下、左右或いは前後に移動させ、人体に空気流れを当てる。該空気流れは、霧状氷によって冷却されているので、高い冷涼感を使用者にもたらすことが出来る。
時間経過に伴い、冷風扇子（１）の温度が上がり、十分な冷涼感を得られなくなったときは、再び冷却装置（４）にて冷風扇子（１）を冷却すればよい。
【００２５】
上述の如く、冷風扇子（１）と冷却装置（４）が着脱自在であるので、冷風扇子（１）使用時には冷却装置（４）を取外すことができ、冷風扇子（１）使用時に冷却装置（４）が邪魔にならず、通常の扇子と同様に簡便に使用可能である。また、これにより冷風扇子（１）の携帯性を損なうことが防止される。
また、冷却装置（４）からの霧状の氷が骨部（２）内部を通じて導入されるので、扇部（３）に施された絵等のデザインを著しく損なうことがなく、また長期間にわたって冷却効果を維持することが可能となる。
【００２６】
図４は、冷風扇子（１）の第２の実施形態の概略図である。尚、図４は、冷風扇子（１）を側方から見た図である。
第２の実施形態に係る冷風扇子（１）は、冷風扇子（１）把持部に配設されるピン（２１）を中空状に形成し、ピン（２１）内に冷却装置（４）からの霧状の氷が噴出可能なようにピン（２１）と冷却装置（４）の噴出機構（４２）とを接続した形態である。ピン（２１）の中空部分と骨部（２）に形成される流路（２２）は連通し、冷却装置（４）から噴出された霧状の氷は、ピン（２１）内を通り、流路（２２）内を流れる。その他の構成は第１の実施形態で説明した構成と同様である。
【００２７】
第２の実施形態に係る冷風扇子（１）の使用形態について説明する。
まず冷風扇子（１）を閉じた状態で、噴出機構（４２）のボタン部（４２１）を押圧し、噴出機構（４２）を作動させると、ピン（２１）内に霧状の氷が噴射される。霧状の氷によって、骨部（２）及び扇部（３）が冷却される。そして、冷風扇子（１）を開き、上下、左右、前後に動かし、人体に空気流れを送る。このとき、噴出機構（４２）の収容部（４１）は冷風扇子（１）把持部から延出する柄として機能し、収容部（４１）を握持し、冷風扇子（１）を動かすことができる。
【産業上の利用可能性】
【００２８】
本発明は、より低温の空気流れを人体にもたらす扇子に好適に適用される。
【図面の簡単な説明】
【００２９】
【図１】本発明に係る冷風扇子の第１の実施形態を示す図である。（ａ）は冷風扇子を開いた状態の正面図であり、（ｂ）は冷風扇子を閉じた状態の側面図であり、（ｃ）は冷風扇子を閉じた状態の正面図である。
【図２】冷風扇子の骨部の断面構造を示す図である。（ａ）乃至（ｄ）はそれぞれ骨部の異なる断面構造を示している。
【図３】本発明の冷風扇子の冷却装置を示す図である。
【図４】本発明の冷風扇子の第２の実施形態を示す図である。
【図５】従来の水冷式扇子を示す図である。
【符号の説明】
【００３０】
１・・・・冷風扇子
２・・・・骨部
２１・・・ピン
２２・・・流路
２２１・・開口部
２３・・・カーボングラファイト層
３・・・・扇部
４・・・・冷却装置
４１・・・収容部
４２・・・噴出機構
５・・・・吸水糸
【図１】
2006175176.tif 000003
【図２】
2006175176.tif 000004
【図３】
2006175176.tif 000005
【図４】
2006175176.tif 000006
【図５】
2006175176.tif 000007